(57)【特許請求の範囲】
【請求項１】
ディスクから読み出されたデータを誤り訂正して誤り訂正することができなかった場合に補間して出力すると共に、補間したか否かを示す補間フラグを出力するディスク信号処理回路と、
前記ディスク信号処理回路から出力されたデータ及び補間フラグを記憶する記憶手段と、
サーボが外れた後に復帰した時に、前記ディスク信号処理回路から出力された複数のワードデータと前記記憶手段に記憶されている複数のワードデータを比較するにあたり、前記記憶手段に記憶されているデータ側の個々のワードに付加された補間フラグがオンの場合には一致とみなして連続点検出信号を出力し、その補間フラグがオフの場合には比較結果が一致のときに連続点検出信号を出力するデータ比較手段とを、
有するディスクデータの連続点検出装置。
【発明の詳細な説明】
【０００１】
【発明の属する技術分野】
本発明は、光ピックアップのサーボ系が外れた場合に、外れる前にメモリに格納されたデータと光ピックアップが外れた位置に復帰して読み取ったデータの連続点を検出するディスクデータの連続点検出装置に関する。
【０００２】
【従来の技術】
一般に、ディスク再生プレーヤの機能として、衝撃により光ピックアップのフォーカスサーボやトラッキングサーボなどのサーボ系が外れた場合に正常な再生ができなくなることを防止するためにショックプルーフ機能が知られている。ＣＤ（コンパクトディスク）のショックプルーフ機能は、ＭＤ（ミニディスク）のそれが公表された後に導入されたが、ＭＤでは最初からショックプルーフを念頭において開発されたのに対し、ＣＤのフォーマットは本来、ショックプルーフには向いていない。
【０００３】
その理由を説明すると、まず、ＣＤ、ＭＤのデータは共に１シンボル（＝１バイト＝８ビット）単位であり、最小単位のＥＦＭフレームは図４に示すように、同期信号と、サブコードと、１２シンボルのデータと、４シンボルのＣ２パリティと、１２シンボルのデータと、４シンボルのＣ１パリティにより構成されている。メインデータは１２×２シンボルのデータと４×２シンボルのＣ２、Ｃ１パリティにより構成されている。
【０００４】
ＣＤ、ＭＤのフォーマットは共に、図５（ａ）、（ｂ）に示すように９８個のフレームにより構成されている。ＣＤのサブコードは８ビットのＰ、Ｑ、Ｒ、Ｓ、Ｔ、Ｕ、Ｖ、Ｗのサブコードにより構成され、各サブコードは９８個のフレームが集まって１フレーム（＝９８ビット）を構成している。また、その内、Ｑコードフレームがアドレスを示し、また、ＭＤではアドレスはメインデータ内に含まれている。
【０００５】
ここで、メインデータ内にはＣ２、Ｃ１訂正用のパリティが含まれているので、ディスクから読み出したデータのエラーをＣ２、Ｃ１パリティに基づいて訂正することができる。したがって、ＭＤではメインデータ内のアドレスをエラー訂正することができる。しかしながら、ＣＤのフォーマットではアドレスを示すＱコードフレームはメインデータ内に含まれておらず、また、ＣＲＣが付加されているもののこれは誤りを検出するのみであって訂正はできないので、常時エラーが発生していると考えてよい。したがって、サブコードとメインデータは信頼性において大きな差があるので、ＣＤとＭＤのアドレスも信頼性において大きな差がある。しかも、ＣＤのサブコードは９８個のＥＦＭフレーム（＝１個のサブコードフレーム）に対して１個のアドレスのみが設けられている。
【０００６】
このような理由により、ＣＤのショックプルーフ機能を実現するためには、図６に示すようにピックアップが内周から外周に向かってスパイラル状に再生中に衝撃によりＰ点でサーボ系が外れ、次いでＰ点より後退した場所に復帰した場合、Ｐ点までに正常にメモリに格納されたデータと、復帰した後にＣＤからの読み出しデータを比較し、一致した場合にその点が連続したデータと判断してＰ点以降の読み出しデータをメモリに格納するようにしている。
【０００７】
【発明が解決しようとする課題】
ところで、Ｐ点までに正常にメモリに格納されたデータと、サーボ復帰後にＣＤから読み出された比較対象のデータは共に、誤り訂正を行うことができなかった場合には補間されているので一致しない確率が大きく、検出確率が低いという問題点がある。
【０００８】
本発明は上記従来の問題点に鑑み、光ピックアップのサーボ系が外れた場合に、外れる前にメモリに格納されたデータと光ピックアップが外れた位置より前に復帰して読み取ったデータの連続点を検出する確率を向上させることができるディスクデータの連続点検出装置を提供することを目的とする。
【０００９】
【課題を解決するための手段】
本発明は上記目的を達成するために、サーボが外れた後に復帰した時にディスクから読み出されたデータとメモリに記憶されているデータを比較するにあたり、メモリに記憶されているデータが補間されている場合には一致しているものと判定するようにしたものである。
すなわち本発明によれば、ディスクから読み出されたデータを誤り訂正して誤り訂正することができなかった場合に補間して出力すると共に、補間したか否かを示す補間フラグを出力するディスク信号処理回路と、
前記ディスク信号処理回路から出力されたデータ及び補間フラグを記憶する記憶手段と、
サーボが外れた後に復帰した時に、前記ディスク信号処理回路から出力された複数のワードデータと前記記憶手段に記憶されている複数のワードデータを比較するにあたり、前記記憶手段に記憶されているデータ側の個々のワードに付加された補間フラグがオンの場合には一致とみなして連続点検出信号を出力し、その補間フラグがオフの場合には比較結果が一致のときに連続点検出信号を出力するデータ比較手段とを、
有するディスクデータの連続点検出装置が提供される。
【００１０】
【発明の実施の形態】
以下、図面を参照して本発明の実施の形態を説明する。図１は本発明に係るディスクデータの連続点検出装置の一実施形態を示すブロック図、図２は図１のデータ比較ブロックによる比較対象データを示す説明図、図３は図１及び図２のデータ比較ブロックを詳細に示すブロック図である。
【００１１】
図１において、ＣＤ１はスピンドルモータ（Ｍ）２によりＣＬＶで回転し、ＣＤ１に記録されたピットデータが光ピックアップ３により読み取られる。この読み取り信号はＣＤ信号処理ＩＣ４によりＥＦＭ復調、デインタリーブ、誤り訂正、補間及びサブコードのデコードなどの処理が施され、１ワードが１６ビットのオーディオＰＣＭデータがＤＲＡＭ５に記憶される。このとき、ＣＤ信号処理ＩＣ４はＣ１、Ｃ２系列の誤り訂正を行って訂正できずに補間を行ったか否かを示す１ビットの補間フラグを１ワード毎に発生する。そして、この補間フラグも同様にＤＲＡＭ５に記憶される。
【００１２】
このような構成において、ＣＤのショックプルーフ機能を実現するためには、図６に示すようにピックアップが内周から外周に向かってスパイラル状に再生中に衝撃によりＰ点でサーボ系が外れ、次いでＰ点より後退した場所に復帰した場合、Ｐ点までに正常にメモリに格納された１６ビット×８ワードのデータ（以下、メモリデータ）及び８ワード分の補間フラグ（以下、メモリ補間フラグ）がＤＲＡＭ５から読み出され、このメモリデータとメモリ補間フラグがそれぞれＰ→Ｓ変換器６ａ、６ｂによりビットシリアルに変換された後、データ比較ブロック７に転送される。また、サーボ復帰後にＣＤから読み出された比較対象のデータと補間フラグが同様に、ＣＤ信号処理ＩＣ４からデータ比較ブロック７に転送される。なお、ショックプルーフ処理ＩＣ８は上記のＰ→Ｓ変換器６ａ、６ｂ、データ比較ブロック７を含むＤＳＰ（デジタルシグナルプロセッサ）により構成されている。
【００１３】
図２上段は、ディスクから再生されてＣＤ信号処理ＩＣ４から転送される８ワードＡ〜Ｈ分のデータ（ディスク再生データ）Ｄと各フラグ（ディスク再生データ補間フラグ）Ｃ２Ｄとして
ワードＡの１６ビットデータＡＤ0 〜ＡＤ15とフラグＣ２ＤＡ
ワードＢの１６ビットデータＢＤ0 〜ＢＤ15とフラグＣ２ＤＢ
ワードＣの１６ビットデータＣＤ0 〜ＣＤ15とフラグＣ２ＤＣ
ワードＤの１６ビットデータＤＤ0 〜ＤＤ15とフラグＣ２ＤＤ
ワードＥの１６ビットデータＥＤ0 〜ＥＤ15とフラグＣ２ＤＥ
ワードＦの１６ビットデータＦＤ0 〜ＦＤ15とフラグＣ２ＤＦ
ワードＧの１６ビットデータＧＤ0 〜ＧＤ15とフラグＣ２ＤＧ
ワードＨの１６ビットデータＨＤ0 〜ＨＤ15とフラグＣ２ＤＨ
を示している。
【００１４】
また、下段は、ＤＲＡＭ５から取り出された同じく８ワードＡ〜Ｈ分のデータ（メモリデータ）Ｍと各フラグ（メモリデータ補間フラグ）Ｃ２Ｍとして
ワードＡの１６ビットデータＡＭ0 〜ＡＭ15とフラグＣ２ＭＡ
ワードＢの１６ビットデータＢＭ0 〜ＢＭ15とフラグＣ２ＭＢ
ワードＣの１６ビットデータＣＭ0 〜ＣＭ15とフラグＣ２ＭＣ
ワードＤの１６ビットデータＤＭ0 〜ＤＭ15とフラグＣ２ＭＤ
ワードＥの１６ビットデータＥＭ0 〜ＥＭ15とフラグＣ２ＭＥ
ワードＦの１６ビットデータＦＭ0 〜ＦＭ15とフラグＣ２ＭＦ
ワードＧの１６ビットデータＧＭ0 〜ＧＭ15とフラグＣ２ＭＧ
ワードＨの１６ビットデータＨＭ0 〜ＨＭ15とフラグＣ２ＭＨ
を示している。
【００１５】
データ比較ブロック７では図３に示すように、Ｅ−ＯＲゲート１０は１６（ビット）×８（ワード）分設けられ、その各々に１６×８ビットのディスク再生データＤとメモリデータＭの各ビットデータが印加される。Ｅ−ＯＲゲート１０の反転出力信号はワードＡ〜Ｈ毎にＡＮＤゲート１１Ａ〜１１Ｈに印加され、したがって、ＡＮＤゲート１１Ａ〜１１ＨはそれぞれワードＡ〜Ｈ毎にディスク再生データＤとメモリデータＭの１６ビットが全て一致した場合に「１」をＯＲゲート１２Ａ〜１２Ｈの一方の入力端子に出力する。
【００１６】
ＯＲゲート１２Ａ〜１２Ｈの他方の入力端子には、それぞれワードＡ〜Ｈのメモリデータ補間フラグＣ２ＭＡ〜Ｃ２ＭＨが印加され、したがって、ＯＲゲート１２Ａ〜１２Ｈはそれぞれ、メモリデータ補間フラグＣ２ＭＡ〜Ｃ２ＭＨが「１」の場合、すなわちワードＡ〜Ｈ毎のメモリデータＭが補間されている場合には、ディスク再生データＤとメモリデータＭの１６ビットが全て一致しなくても「１」を出力する。続くＡＮＤゲート１３はＯＲゲート１２Ａ〜１２Ｈの各出力信号が全て「１」の場合に連続点検出信号＝１を出力し、この連続点検出信号＝１に基づいてディスク再生データＤ（及びディスク再生データ補間フラグＣ２Ｄ）がメモリデータＭと連続するようにＤＲＡＭ５に格納される。
【００１７】
【発明の効果】
以上説明したように本発明によれば、サーボが外れた後に復帰した時にディスクから読み出されたデータとメモリに記憶されているデータを比較するにあたり、メモリに記憶されているデータが補間されている場合には一致しているものと判定するようにしたので、データの連続点を検出する確率を向上させることができる。
【図面の簡単な説明】
【図１】本発明に係るディスクデータの連続点検出装置の一実施形態を示すブロック図である。
【図２】図１のデータ比較ブロックによる比較対象データを示す説明図である。
【図３】図１及び図２のデータ比較ブロックを詳細に示すブロック図である。
【図４】ＣＤとＭＤのＥＦＭフレームを示す説明図である。
【図５】ＣＤとＭＤのフォーマットを示す説明図である。
【図６】サーボが外れた状態を示す説明図である。
【符号の説明】
１  ＣＤ（ディスク）
４  ＣＤ信号処理ＩＣ（ディスク信号処理回路）
５  ＤＲＡＭ（記憶手段）
７  データ比較ブロック（データ比較手段）
【図１】
0003678300.tif 000002
【図２】
0003678300.tif 000003
【図３】
0003678300.tif 000004
【図４】
0003678300.tif 000005
【図５】
0003678300.tif 000006
【図６】
0003678300.tif 000007